(57)【要約】  ワイヤレスデバイスに対するアップリンク送信の設定が提供される。ワイヤレスデバイスにアップリンク送信用の設定を提供するための機構が提供されている。方法はネットワークノードによって行われる。方法は、ショートＴＴＩ動作によるアップリンク送信用の設定を含むメッセージを送信することを含む。方法は、ワイヤレスデバイスに対するアップリンクショートＴＴＩのスケジューリングを含む高速グラントを送信することを含む。【選択図】図２
2019526947.tif 000002
【特許請求の範囲】
【請求項１】
ワイヤレスデバイス（３００ａ）にアップリンク送信用の設定を提供するための方法であって、ネットワークノード（２００）によって行われ、
ショートＴＴＩ動作によるアップリンク送信用の設定を含むメッセージを送信すること（Ｓ１０２）と、
前記ワイヤレスデバイスに対するアップリンクショートＴＴＩ送信のスケジューリングを含む高速グラントを送信すること（Ｓ１０４）と、を含む、方法。
【請求項２】
前記設定および前記スケジューリングが関連する前記アップリンク送信は、ショートＴＴＩ周波数帯域において行われる、請求項１に記載の方法。
【請求項３】
前記高速グラントに従ってショートＴＴＩ動作のために物理アップリンク共有チャネル（ＰＵＳＣＨ）上で前記ワイヤレスデバイスからデータ送信を受信すること（Ｓ１０６）をさらに含む、請求項１または２に記載の方法。
【請求項４】
ネットワークノード（２００）からアップリンク送信用の設定を受信するための方法であって、ワイヤレスデバイス（３００ａ）によって行われ、
ショートＴＴＩ動作によるアップリンク送信用の設定を含むメッセージを前記ネットワークノードから受信すること（Ｓ２０２）と、
前記ワイヤレスデバイスに対するアップリンクショートＴＴＩ送信のスケジューリングを含む高速グラントを前記ネットワークノードから受信すること（Ｓ２０４）と、を含む、方法。
【請求項５】
前記設定および前記スケジューリングが関連する前記アップリンク送信は、ショートＴＴＩ周波数帯域において行われる、請求項４に記載の方法。
【請求項６】
前記高速グラントに従ってショートＴＴＩ動作のために物理アップリンク共有チャネル（ＰＵＳＣＨ）上でデータ送信を行うこと（Ｓ２０６）をさらに含む、請求項４または５に記載の方法。
【請求項７】
前記設定は、ショートＴＴＩ動作のための参照シンボルおよびデータシンボルの位置を規定する、請求項１から６のいずれか一項に記載の方法。
【請求項８】
前記参照シンボルはアップリンク復調用参照信号（ＤＭＲＳ）である、請求項７に記載の方法。
【請求項９】
前記設定に従って、前記参照シンボルはそれぞれのサブフレームにおいてシンボル３および１０に位置付けられる、請求項７または８に記載の方法。
【請求項１０】
前記設定に従って、ショートＴＴＩ動作のためのそれぞれのＴＴＩは多くても１つの参照シンボルを含む、請求項７または８に記載の方法。
【請求項１１】
前記設定に従って、前記参照シンボルは、参照シンボルを含む、ショートＴＴＩ動作のためのそれぞれのＴＴＩにおいて、最初または最後のどちらかに位置付けられる、請求項７または８に記載の方法。
【請求項１２】
前記設定に従って、ショートＴＴＩ動作のための異なるＴＴＩでの参照シンボルは共通シンボル上に置かれる、請求項７または８に記載の方法。
【請求項１３】
前記設定に従って、ショートＴＴＩ動作のための全てのＴＴＩはスロットが含有されている、請求項７または８に記載の方法。
【請求項１４】
前記設定はショートＴＴＩ設定インデックスによってシグナリングされる、請求項１から１３のいずれか一項に記載の方法。
【請求項１５】
前記設定は、前記ショートＴＴＩの長さを指示する第１のパラメータ、およびショートＴＴＩ動作のための参照シンボルおよびデータシンボルの位置を指示する第２のパラメータによってシグナリングされる、請求項１から１４のいずれ一項に記載の方法。
【請求項１６】
前記設定ではさらに、ダウンリンクＴＴＩ周波数帯域の長さが指定される、請求項１から１５のいずれか一項に記載の方法。
【請求項１７】
前記設定はそれぞれのサブフレームに対して固定される、請求項１から１６のいずれか一項に記載の方法。
【請求項１８】
ショートＴＴＩ動作のための少なくとも２つのＴＴＩは、１つのサブフレーム内で相互に長さが異なっている、請求項１から１７のいずれか一項に記載の方法。
【請求項１９】
ショートＴＴＩ動作のための少なくとも２つのワイヤレスデバイスは、１つのサブフレーム内でＴＴＩ周波数帯域の長さが相互に異なっている、請求項１から１８のいずれか一項に記載の方法。
【請求項２０】
前記メッセージは無線リソース制御メッセージである、請求項１から１９のいずれか一項に記載の方法。
【請求項２１】
前記メッセージは低速グラントである、請求項１から２０のいずれか一項に記載の方法。
【請求項２２】
前記高速グラントは前記低速グラントより多い頻度で送信される、請求項１２または２１に記載の方法。
【請求項２３】
前記低速グラントは、サブフレームごとに１回、またはサブフレームごとに１回より少ない頻度で送信される、請求項２１または２２に記載の方法。
【請求項２４】
前記高速グラントは、シンボル数に基づくなど、サブフレームごとに１回より多い頻度で送信される、請求項１から２３のいずれか一項に記載の方法。
【請求項２５】
前記高速グラントは前記設定を含む前記メッセージの一部分である、請求項１から２４のいずれか一項に記載の方法。
【請求項２６】
前記高速グラントは前記設定を含む前記メッセージと異なるメッセージの一部分である、請求項１から２５のいずれか一項に記載の方法。
【請求項２７】
ワイヤレスデバイス（３００ａ）にアップリンク送信用の設定を提供するネットワークノード（２００）であって、
処理回路（２１０）を含み、前記処理回路は、前記ネットワークノード（２００）に、
ショートＴＴＩ動作によるアップリンク送信用の設定を含むメッセージを送信させるように、かつ、
前記ワイヤレスデバイスに対するアップリンクショートＴＴＩ送信のスケジューリングを含む高速グラントを送信させるように設定される、ネットワークノード（２００）。
【請求項２８】
ワイヤレスデバイス（３００ａ）にアップリンク送信用の設定を提供するネットワークノード（２００）であって、
処理回路（２１０）と、
前記処理回路（２１０）によって実行される時、前記ネットワークノード（２００）に、
ショートＴＴＩ動作によるアップリンク送信用の設定を含むメッセージを送信させ、かつ、
前記ワイヤレスデバイスに対するアップリンクショートＴＴＩ送信のスケジューリングを含む高速グラントを送信させる命令を記憶する、コンピュータプログラム製品（２４１０ａ）と、を含む、ネットワークノード（２００）。
【請求項２９】
ワイヤレスデバイス（３００ａ）にアップリンク送信用の設定を提供するネットワークノード（２００）であって、
ショートＴＴＩ動作によるアップリンク送信用の設定を含むメッセージを送信するように設定される送信モジュールと、
前記ワイヤレスデバイスに対するアップリンクショートＴＴＩ送信のスケジューリングを含む高速グラントを送信するように設定される送信モジュールと、を含む、ネットワークノード（２００）。
【請求項３０】
ネットワークノード（２００）からアップリンク送信用の設定を受信するワイヤレスデバイス（３００ａ、３００ｂ）であって、
処理回路（３１０）を含み、前記処理回路は、前記ワイヤレスデバイス（３００ａ、３００ｂ）に、
ショートＴＴＩ動作によるアップリンク送信用の設定を含むメッセージを前記ネットワークノードから受信させるように、かつ、
前記ワイヤレスデバイスに対するアップリンクショートＴＴＩ送信のスケジューリングを含む高速グラントを前記ネットワークノードから受信させるように設定される、ワイヤレスデバイス（３００ａ、３００ｂ）。
【請求項３１】
ネットワークノード（２００）からアップリンク送信用の設定を受信するワイヤレスデバイス（３００ａ、３００ｂ）であって、
処理回路（３１０）と、
前記処理回路（３１０）によって実行される時、前記ワイヤレスデバイス（３００ａ、３００ｂ）に、
ショートＴＴＩ動作によるアップリンク送信用の設定を含むメッセージを前記ネットワークノードから受信させ、かつ、
前記ワイヤレスデバイスに対するアップリンクショートＴＴＩ送信のスケジューリングを含む高速グラントを前記ネットワークノードから受信させる命令を記憶する、コンピュータプログラム製品（２４１０ｂ）と、を含む、ワイヤレスデバイス（３００ａ、３００ｂ）。
【請求項３２】
ネットワークノード（２００）からアップリンク送信用の設定を受信するワイヤレスデバイス（３００ａ、３００ｂ）であって、
ショートＴＴＩ動作によるアップリンク送信用の設定を含むメッセージを前記ネットワークノードから受信するように設定される受信モジュールと、
前記ワイヤレスデバイスに対するアップリンクショートＴＴＩ送信のスケジューリングを含む高速グラントを前記ネットワークノードから受信するように設定される受信モジュールと、を含む、ワイヤレスデバイス（３００ａ、３００ｂ）。
【請求項３３】
ワイヤレスデバイス（３００ａ）にアップリンク送信用の設定を提供するためのコンピュータプログラム（２４２０ａ）であって、
ネットワークノード（２００）の処理回路（２１０）上で起動される時、前記ネットワークノード（２００）に、
ショートＴＴＩ動作によるアップリンク送信用の設定を含むメッセージを送信（Ｓ１０２）させ、かつ、
前記ワイヤレスデバイスに対するアップリンクショートＴＴＩ送信のスケジューリングを含む高速グラントを送信（Ｓ１０４）させる、コンピュータコードを含む、コンピュータプログラム（２４２０ａ）。
【請求項３４】
ネットワークノード（２００）からアップリンク送信用の設定を受信するためのコンピュータプログラム（２４２０ｂ）であって、
ワイヤレスデバイス（３００ａ、３００ｂ）の処理回路（３１０）上で起動される時、前記ワイヤレスデバイス（３００ａ、３００ｂ）に、
ショートＴＴＩ送信によるアップリンク送信用の設定を含むメッセージを前記ネットワークノードから受信（Ｓ２０２）させ、かつ、
前記ワイヤレスデバイスに対するアップリンクショートＴＴＩ送信のスケジューリングを含む高速グラントを前記ネットワークノードから受信（Ｓ２０４）させる、コンピュータコードを含む、コンピュータプログラム（２４２０ｂ）。
【請求項３５】
請求項３３または３４に記載のコンピュータプログラム（２４２０ａ、２４２０ｂ）と、
前記コンピュータプログラムが記憶されるコンピュータ可読記憶媒体（２４３０）と、を含む、コンピュータプログラム製品（２４１０ａ、２４１０ｂ）。
【発明の詳細な説明】
【技術分野】
【０００１】
本明細書に提示される実施形態は、ワイヤレスデバイスにアップリンク送信用の設定を提供するための方法、ネットワークノード、コンピュータプログラム、およびコンピュータプログラム製品に関する。本明細書に提示される実施形態は、さらに、ネットワークノードからのアップリンク送信用の設定のための方法、ワイヤレスデバイス、コンピュータプログラム、およびコンピュータプログラム製品に関する。
【背景技術】
【０００２】
通信ネットワークにおける既定の通信プロトコルに良好な性能および容量を提供する際の１つのパラメータは、パケットデータレイテンシである。レイテンシ測定は、例えば、新しいソフトウェアリリースまたはシステムコンポーネントを検証する時、ならびに／または、通信ネットワークを配備する時および通信ネットワークが商業運転の状態にある時、通信ネットワークの全ての段階において行われ得る。
【０００３】
前世代の３ＧＰＰ無線アクセス技術より短いレイテンシは、Ｌｏｎｇ  Ｔｅｒｍ  Ｅｖｏｌｕｔｉｏｎ（ＬＴＥ）の設計を導いた１つの性能測定基準であった。ＬＴＥはまた現在、エンドユーザによって、前世代のモバイル無線技術より、インターネットへのアクセスが速く、かつパケットレイテンシが低いシステムであると認識されている。
【０００４】
パケットレイテンシはまた、通信ネットワークのスループットに間接的に影響するパラメータである。ハイパーテキスト転送プロトコル（ＨＴＴＰ）および／または伝送制御プロトコル（ＴＣＰ）を使用するトラフィックは、現在は、インターネット上で使用される支配的なアプリケーションおよびトランスポート層プロトコルスイートのうちの１つである。インターネット上のＨＴＴＰベーストランザクションの典型的なサイズは、数十キロバイトから１メガバイトまでの範囲内にある。このサイズの範囲では、ＴＣＰスロースタート期間は、パケットストリームの合計トランスポート期間の極めて大きな部分である。ＴＣＰスロースタート中、性能はパケットレイテンシによって限定されている。それゆえに、改善されたパケットレイテンシによって、少なくともこのタイプのＴＣＰベースデータトランザクションに対する平均スループットが潜在的に改善され得る。
【０００５】
無線リソース効率はまた、パケットレイテンシ低減によって良い影響が与えられ得る。パケットデータレイテンシが低くなることで、ある特定の遅延限界内で可能な送信数を増大させることが可能であるため、システムの容量を潜在的に改善する無線リソースを解放するデータ送信に、より高いブロック誤り率（ＢＬＥＲ）目標が使用可能である。
【０００６】
既存の物理層ダウンリンク制御チャネル、物理ダウンリンク制御チャネル（ＰＤＣＣＨ）、およびエンハンスドＰＤＣＣＨ（ｅＰＤＣＣＨ）を使用して、アップリンク（ＵＬ、デバイスからネットワークまで）およびダウンリンク（ＤＬ、ネットワークからデバイスまで）に対するスケジューリング決定などのダウンリンク制御情報（ＤＣＩ）、および電力制御コマンドを伝える。ＰＤＣＣＨおよびｅＰＤＣＣＨは両方とも、１ｍｓのサブフレームごとに１回送信される現在の通信ネットワークに準じている。
【０００７】
３ＧＰＰ  ＴＳ  ３６．２１２では、アップリンク（ＵＬ）およびダウンリンク（ＤＬ）リソースアサインメントに対する異なる（ＤＣＩ）フォーマットの例が挙げられている。ＵＬスケジューリンググラントは、ＤＣＩフォーマット０またはＤＣＩフォーマット４のどちらかを使用する。後者のＤＣＩフォーマット４は、アップリンク空間多重化をサポートするための第３世代パートナーシッププロジェクト（３ＧＰＰ）リリース１０（Ｒｅｌ−１０）において追加された。
【０００８】
既存の動作方式、例えば、フレーム構造および制御シグナリングは、１ｍｓの固定長のサブフレームにおけるデータ割り当て用に設計され、これは、割り当てられた帯域幅においてのみ変わる場合がある。具体的には、現在のＤＣＩはサブフレーム全体の範囲内でリソース割り当てを規定し、サブフレームごとに１回だけ送信される。既存の動作方式は、ＵＬおよびＤＬデータのスケジューリングが、ショートサブフレーム、すなわち、１ｍｓより短いサブフレームにおいてどのように行われ得るかを指示しない。
【０００９】
それゆえに、ショートサブフレームを使用する効率的な通信が必要とされている。
【発明の概要】
【００１０】
本明細書における実施形態の目的は、ショートサブフレームを使用する通信用の機構を提供することである。
【００１１】
第１の態様によると、ワイヤレスデバイスにアップリンク送信用の設定を提供するための方法が提示される。方法はネットワークノードによって行われる。方法は、ショートＴＴＩ動作によるアップリンク送信用の設定を含むメッセージを送信することを含む。方法は、ワイヤレスデバイスに対するアップリンクショートＴＴＩ送信のスケジューリングを含む高速グラントを送信することを含む。
【００１２】
第２の態様によると、ワイヤレスデバイスにアップリンク送信用の設定を提供するネットワークノードが提示されている。ネットワークノードは処理回路を含む。処理回路は、ネットワークノードに、ショートＴＴＩ動作によるアップリンク送信用の設定を含むメッセージを送信させるように設定される。処理回路は、ネットワークノードに、ワイヤレスデバイスに対するアップリンクショートＴＴＩ送信のスケジューリングを含む高速グラントを送信させるように設定される。
【００１３】
第３の態様によると、ワイヤレスデバイスにアップリンク送信用の設定を提供するネットワークノードが提示されている。ネットワークノードは、処理回路およびコンピュータプログラム製品を含む。コンピュータプログラム製品は、処理回路によって実行される時、ネットワークノードにステップまたは動作を行わせる命令を記憶する。ステップまたは動作は、ネットワークノードに、ＴＴＩ動作によるアップリンク送信用の設定を含むメッセージを送信させる。ステップまたは動作は、ネットワークノードに、ワイヤレスデバイスに対するアップリンクショートＴＴＩ送信のスケジューリングを含む高速グラントを送信させる。
【００１４】
第４の態様によると、ワイヤレスデバイスにアップリンク送信用の設定を提供するネットワークノードが提示されている。ネットワークノードは、ショートＴＴＩ動作によるアップリンク送信用の設定を含むメッセージを送信するように設定される送信モジュールを含む。ネットワークノードは、ワイヤレスデバイスに対するアップリンクショートＴＴＩ送信のスケジューリングを含む高速グラントを送信するように設定される送信モジュールを含む。
【００１５】
第５の態様によると、ワイヤレスデバイスにアップリンク送信用の設定を提供するためのコンピュータプログラムが提示されている。このコンピュータプログラムは、ネットワークノードの処理回路上で起動される時、ネットワークノードに第１の態様による方法を行わせるコンピュータプログラムコードを含む。
【００１６】
第６の態様によると、ネットワークノードからアップリンク送信用の設定を受信するための方法が提示されている。方法はワイヤレスデバイスによって行われる。方法は、ショートＴＴＩ動作によるアップリンク送信用の設定を含むメッセージをネットワークノードから受信することを含む。方法は、ワイヤレスデバイスに対するアップリンクショートＴＴＩ送信のスケジューリングを含む高速グラントをネットワークノードから受信することを含む。
【００１７】
第７の態様によると、ネットワークノードからアップリンク送信用の設定を受信するワイヤレスデバイスが提示されている。ワイヤレスデバイスは処理回路を含む。処理回路は、ワイヤレスデバイスに、ショートＴＴＩ動作によるアップリンク送信用の設定を含むメッセージをネットワークノードから受信させるように設定される。処理回路は、ワイヤレスデバイスに、ワイヤレスデバイスに対するアップリンクショートＴＴＩ送信のスケジューリングを含む高速グラントをネットワークノードから受信させるように設定される。
【００１８】
第８の態様によると、ネットワークノードからアップリンク送信用の設定を受信するワイヤレスデバイスが提示されている。ワイヤレスデバイスは処理回路およびコンピュータプログラム製品を含む。コンピュータプログラム製品は、処理回路によって実行される時、ワイヤレスデバイスにステップまたは動作を行わせる命令を記憶する。ステップまたは動作は、ワイヤレスデバイスに、ショートＴＴＩ動作によるアップリンク送信用の設定を含むメッセージをネットワークノードから受信させる。ステップまたは動作は、ワイヤレスデバイスに、ワイヤレスデバイスに対するアップリンクショートＴＴＩ送信のスケジューリングを含む高速グラントをネットワークノードから受信させる。
【００１９】
第９の態様によると、ネットワークノードからアップリンク送信用の設定を受信するワイヤレスデバイスが提示されている。ワイヤレスデバイスは、ショートＴＴＩ動作によるアップリンク送信用の設定を含むメッセージをネットワークノードから受信するように設定される受信モジュールを含む。ワイヤレスデバイスは、ワイヤレスデバイスに対するアップリンクショートＴＴＩ送信のスケジューリングを含む高速グラントをネットワークノードから受信するように設定される受信モジュールを含む。
【００２０】
第１０の態様によると、ネットワークノードからアップリンク送信用の設定を受信するためのコンピュータプログラムが提示されている。このコンピュータプログラムは、ワイヤレスデバイスの処理回路上で起動される時、ワイヤレスデバイスに第６の態様による方法を行わせるコンピュータプログラムコードを含む。
【００２１】
第１１の態様によると、第５の態様および第１０の態様のうちの少なくとも１つによるコンピュータプログラム、およびコンピュータプログラムが記憶されるコンピュータ可読記憶媒体を含むコンピュータプログラム製品が提示されている。コンピュータ可読記憶媒体は、非一時的なコンピュータ可読記憶媒体とすることができる。
【００２２】
有利には、これらの方法、これらのネットワークノード、これらのワイヤレスデバイス、およびこれらのコンピュータプログラムは、ショートサブフレームを使用する効率的な通信を提供する。
【００２３】
有利には、これによって、アップリンクショートＴＴＩ送信に対するリソース利用が改善される。
【００２４】
第１の態様、第２の態様、第３の態様、第４の態様、第５の態様、第６の態様、第７の態様、第８の態様、第９の態様、第１０の態様、および第１１の態様のいずれの特徴も適切な場合はいつでも任意の他の態様に適用可能であることに、留意されたい。同様に、第１の態様のいずれの利点も、第２の態様、第３の態様、第４の態様、第５の態様、第６の態様、第７の態様、第８の態様、第９の態様、第１０の態様、および／または第１１の態様にそれぞれ、等しく適用されてよく、その逆もまた同様である。含まれている実施形態の他の目的、特徴、および利点は、添付の従属請求項および図面からの以下の詳細な開示から明らかとなるであろう。
【００２５】
一般的に、特許請求の範囲で使用される全ての用語は、別段本明細書に明示的に規定されない限り、当技術分野での通例の意味に従って解釈されるものとする。「要素、装置、コンポーネント、手段、ステップなど」への言及は全て、別段明示的に記されていない限り、要素、装置、コンポーネント、手段、ステップなどのうちの少なくとも１つの事例に言及するとして率直に解釈されるべきである。本明細書に開示される任意の方法のステップは、明示的に記されていない限り、開示された厳密な順序で行われる必要はない。
【００２６】
ここで、例として、添付の図面を参照して、本発明の概念について説明する。
【図面の簡単な説明】
【００２７】
【図１】実施形態による通信ネットワークを示す概略図である。
【図２】実施形態による方法のフローチャートである。
【図３】実施形態による方法のフローチャートである。
【図４】実施形態による方法のフローチャートである。
【図５】実施形態による方法のフローチャートである。
【図６】実施形態によるサブフレームにおけるショートＴＴＩ設定を概略的に示す図である。
【図７】実施形態によるサブフレームにおけるショートＴＴＩ設定を概略的に示す図である。
【図８】実施形態によるサブフレームにおけるショートＴＴＩ設定を概略的に示す図である。
【図９】実施形態によるサブフレームにおけるショートＴＴＩ設定を概略的に示す図である。
【図１０】実施形態によるサブフレームにおけるショートＴＴＩ設定を概略的に示す図である。
【図１１】実施形態によるサブフレームにおけるショートＴＴＩ設定を概略的に示す図である。
【図１２】実施形態によるサブフレームにおけるショートＴＴＩ設定を概略的に示す図である。
【図１３】実施形態によるサブフレームにおけるショートＴＴＩ設定を概略的に示す図である。
【図１４】実施形態によるサブフレームにおけるショートＴＴＩ設定を概略的に示す図である。
【図１５】実施形態によるショートＴＴＩ設定に対するアップリンクグラントを概略的に示す図である。
【図１６】実施形態によるショートＴＴＩ設定に対するアップリンクグラントを概略的に示す図である。
【図１７】実施形態によるショートＴＴＩ設定に対するアップリンクグラントを概略的に示す図である。
【図１８】実施形態によるショートＴＴＩ設定に対するアップリンクグラントを概略的に示す図である。
【図１９】実施形態によるショートＴＴＩ設定に対するアップリンクグラントを概略的に示す図である。
【図２０】一実施形態によるネットワークノードの機能ユニットを示す概略図である。
【図２１】一実施形態によるネットワークノードの機能モジュールを示す概略図である。
【図２２】一実施形態によるワイヤレスデバイスの機能ユニットを示す概略図である。
【図２３】一実施形態によるワイヤレスデバイスの機能モジュールを示す概略図である。
【図２４】一実施形態によるコンピュータ可読手段を含むコンピュータプログラム製品の１つの例を示す図である。
【発明を実施するための形態】
【００２８】
本発明の概念について、ここで、本発明の概念のある特定の実施形態が示されている添付の図面を参照して、以降でより詳しく説明する。しかしながら、この本発明の概念は、多くの異なる形態で具現化されてよく、本明細書に示される実施形態に限定されるという意味に取るべきではなく、むしろ、これらの実施形態は、例として、この開示が当業者に対して、十分完全なものになり、かつ本発明の概念の範囲を十分伝達するように提供される。本明細書全体を通して、同様の番号は同様の要素を指す。破線で示されるいずれのステップまたは特徴も、オプションとみなされるものとする。
【００２９】
図１は、本明細書に提示される実施形態が適用可能である通信ネットワーク１００を示す概略図である。通信ネットワーク１００は少なくとも１つのネットワークノード２００を含む。ネットワークノード２００の機能性、およびこれが通信ネットワーク１００において他のエンティティ、ノード、およびデバイスとどのように対話するかについて、以下にさらに開示される。
【００３０】
通信ネットワーク１００はさらに、少なくとも１つの無線アクセスネットワークノード１４０を含む。少なくとも１つの無線アクセスネットワークノード１４０は、無線アクセスネットワーク１１０の一部分であり、コアネットワーク１２０に動作可能に接続され、このコアネットワーク１２０はさらにまた、サービスネットワーク１３０に動作可能に接続される。少なくとも１つの無線アクセスネットワークノード１４０は、無線アクセスネットワーク１１０においてネットワークアクセスを提供する。少なくとも１つの無線アクセスネットワークノード１４０によってサーブされるワイヤレスデバイス３００ａ、３００ｂは、それによって、サービスへのアクセス、およびコアネットワーク１２０およびサービスネットワーク１３０とのデータの交換が可能にされる。
【００３１】
ワイヤレスデバイス３００ａ、３００ｂの例には、移動局、携帯電話、ハンドセット、ワイヤレスローカルループ電話、ユーザ機器（ＵＥ）、スマートフォン、ラップトップコンピュータ、タブレットコンピュータ、ネットワーク装備センサ、ワイヤレスモデム、およびモノのインターネットデバイスが挙げられるが、これらに限定されない。無線アクセスネットワークノード１４０の例には、無線基地局、無線基地局装置、ＮｏｄｅＢ、エボルブドＮｏｄｅＢ、アクセスポイント、およびアクセスノードが挙げられるが、これらに限定されない。当業者には理解されるように、通信ネットワーク１００は、複数の無線アクセスネットワークノード１４０を含んでよく、このそれぞれは、複数のワイヤレスデバイス３００ａ、３００ｂにネットワークアクセスを提供する。本明細書に開示される実施形態は、いずれの特定の数のネットワークノード２００、無線アクセスネットワークノード１４０、またはワイヤレスデバイス３００ａ、３００ｂにも限定されない。
【００３２】
ワイヤレスデバイス３００ａ、３００ｂは、サービスにアクセスし、かつ、データをパケットで、コアネットワーク１２０およびサービスネットワーク１３０に送信すること、および、データをパケットで、無線アクセスネットワークノード１４０を介してコアネットワーク１２０およびサービスネットワーク１３０から受信することによって、コアネットワーク１２０およびサービスネットワーク１３０とデータを交換する。
【００３３】
パケットレイテンシは、ネットワーク性能を低下させると上で特定されている。パケットレイテンシを低減するようになる時に対処するための１つの領域は、送信時間間隔（ＴＴＩ）の長さに対処することによる、データの転送時間および制御シグナリングの低減である。ＬＴＥリリース８において、ＴＴＩは、１ミリ秒の長さの１つのサブフレーム（ＳＦ）に対応する。１つのこのような１ｍｓのＴＴＩは、通常のサイクリックプレフィックスの場合、１４のＯＦＤＭまたはＳＣ−ＦＤＭＡシンボルを、および、拡張サイクリックプレフィックスの場合、１２のＯＦＤＭまたはＳＣ−ＦＤＭＡシンボルを使用することによって、構成される。
【００３４】
本明細書に開示される実施形態は、ワイヤレスデバイス３００ａにアップリンク送信用の設定を提供するための機構に関する。このような機構を得るために、ネットワークノード２００、ネットワークノード２００によって行われる方法、ネットワークノード２００の処理回路上で起動される時、ネットワークノード２００に該方法を行わせる、例えばコンピュータプログラムの形態のコードを含むコンピュータプログラム製品が提供される。
【００３５】
本明細書に開示される実施形態は、さらに、ネットワークノード２００からアップリンク送信用の設定を受信するための機構に関する。このような機構を得るために、ワイヤレスデバイス３００ａ、３００ｂ、ワイヤレスデバイス３００ａ、３００ｂによって行われる方法、および、ワイヤレスデバイス３００ａ、３００ｂの処理回路上で起動される時、ワイヤレスデバイス３００ａ、３００ｂに該方法を行わせる、例えばコンピュータプログラムの形態のコードを含むコンピュータプログラム製品が提供される。
【００３６】
本明細書に開示される実施形態によると、ＴＴＩは、短縮されたサブフレーム（以下ではショートサブフレームと示される）を導入することによって短縮される。より正確には、ＴＴＩは３ＧＰＰ  ＬＴＥシステムにおいて１ｍｓといった、従来の継続時間に対して短縮されてよい。ショートＴＴＩによって、サブフレームが、時間内の任意の継続時間を有し、かつ１ｍｓのサブフレーム内のいくつかのＯＦＤＭまたはＳＣ−ＦＤＭＡシンボル上でリソースを含むように決定され得る。１つの例として、ショートサブフレームの継続時間は、０．５ｍｓ、すなわち、通常のサイクリックプレフィックスによる場合には、７のＯＦＤＭシンボルまたはＳＣ−ＦＤＭＡシンボルとしてよい。別の例として、ショートＴＴＩの継続時間は２シンボルとしてよい。
【００３７】
述べられるように、レイテンシを低減するための１つのやり方は、送信時間間隔（ＴＴＩ）を低減することであり、１ｍｓの時間分によるリソースをアサインすることの代わりに、さらには、いくつかのＯＦＤＭシンボルまたはＳＣ−ＦＤＭＡシンボルといった、より短い継続時間によるリソースをアサインすることが必要とされている。これは、このような短いスケジューリングアサインメントの指示を可能にするデバイス特有の制御シグナリングの必要性を暗示している。
【００３８】
さらに、（より短いＴＴＩは、より高いオーバーヘッドを招き、および／または復調性能を悪化させる場合があるため）スペクトル効率を最適化するために、ＴＴＩ継続時間、例えば、従来の１ｍｓのＴＴＩ、およびより短いＴＴＩの間を動的に切り換え可能とすることも必要とされている。
【００３９】
アップリンク送信では、それぞれのショートＴＴＩで送信されるアップリンク復調用参照信号（ＤＭＲＳ）による１つまたは複数のＳＣ−ＦＤＭＡシンボルは、ＴＴＩの長さが低減される時、オーバーヘッドの増大、および対応するデータレートの減少をもたらす。
【００４０】
１ｍｓのＴＴＩによるスケジューリングを使用して、ワイヤレスデバイス３００ａ、３００ｂには、例えば、使用されるリソースブロックを特定するＤＣＩフィールドにおけるビットマップに基づく周波数リソースが割り当てられる。ＴＴＩ長は短縮されるため、これによって、この割り当てがサブフレームごとに数回特定される場合、増大したシグナリングオーバーヘッドをもたらす場合がある。このようなショートＴＴＩごとに単一のワイヤレスデバイス３００ａ、３００ｂにのみグラントがあることは、オーバーヘッドを限定することになる。いくつかのワイヤレスデバイス３００ａ、３００ｂの間でショートＴＴＩ内の周波数リソースを共有する一方、制御オーバーヘッドの量を限定することは有益である場合がある。
【００４１】
図２および図３は、ネットワークノード２００によって行われるようにワイヤレスデバイス３００ａにアップリンク送信用の設定を提供するための方法の実施形態を示すフローチャートである。図４および図５は、ワイヤレスデバイス３００ａ、３００ｂによって行われるようにネットワークノード２００からアップリンク送信用の設定を受信するための方法の実施形態を示すフローチャートである。方法は、有利には、コンピュータプログラム２４２０ａ、２４２０ｂとして提供される（以下を参照）。
【００４２】
ここで、一実施形態に従って、ネットワークノード２００によって行われるようにワイヤレスデバイス３００ａにアップリンク送信用の設定を提供するための方法を示す図２を参照する。
【００４３】
Ｓ１０２：ネットワークノードはショートＴＴＩ動作によるアップリンク送信用の設定を含むメッセージを送信する。
【００４４】
Ｓ１０４：ネットワークノードは、ワイヤレスデバイス３００ａに対するアップリンクショートＴＴＩ送信のスケジューリングを含む高速グラントを送信する。
【００４５】
ネットワークノード２００によって行われるようにワイヤレスデバイス３００ａにアップリンク送信用の設定を提供するさらなる詳細に関連する実施形態について、ここで開示する。
【００４６】
一実施形態によると、設定およびスケジューリングが関連するアップリンク送信は、ショートＴＴＩ周波数帯域において行われるものとする。すなわち、一実施形態によると、設定を含むメッセージは、ショートＴＴＩ動作のためにＴＴＩ周波数帯域において送信され、高速グラントは、ワイヤレスデバイス３００ａに対するＴＴＩ周波数帯域におけるアップリンクショートＴＴＩ送信のスケジューリングを含む。
【００４７】
ここで、さらなる実施形態に従って、ネットワークノード２００によって行われるようにワイヤレスデバイス３００ａにアップリンク送信用の設定を提供するための方法を示す図３を参照する。ステップＳ１０２、Ｓ１０４が図２を参照して開示されるように行われることが想定されるため、これらのステップの繰り返しの説明は省略される。
【００４８】
Ｓ１０６：ネットワークノードは、高速グラントに従ってショートＴＴＩ動作のために物理アップリンク共有チャネル（ＰＵＳＣＨ）上でワイヤレスデバイス３００ａからデータ送信を受信する。
【００４９】
ここで、一実施形態に従って、ワイヤレスデバイス３００ａ、３００ｂによって行われるようにネットワークノード２００からアップリンク送信用の設定を受信するための方法を示す図４を参照する。
【００５０】
Ｓ２０２：ワイヤレスデバイス３００ａ、３００ｂは、ショートＴＴＩ動作によるアップリンク送信用の設定を含むメッセージをネットワークノード２００から受信する。
【００５１】
Ｓ２０４：ワイヤレスデバイス３００ａ、３００ｂは、ワイヤレスデバイスに対するアップリンクショートＴＴＩ送信のスケジューリングを含む高速グラントをネットワークノード２００から受信する。
【００５２】
ワイヤレスデバイス３００ａ、３００ｂによって行われるようにネットワークノード２００からアップリンク送信用の設定を受信するさらなる詳細に関連する実施形態について、ここで開示する。
【００５３】
一実施形態によると、設定およびスケジューリングが関連するアップリンク送信は、ショートＴＴＩ周波数帯域において行われるものとする。すなわち、一実施形態によると、設定を含むメッセージは、ショートＴＴＩ動作のためにＴＴＩ周波数帯域において受信され、高速グラントは、ワイヤレスデバイス３００ａに対するＴＴＩ周波数帯域におけるアップリンクショートＴＴＩ送信のスケジューリングを含む。
【００５４】
ここで、さらなる実施形態に従って、ワイヤレスデバイス３００ａ、３００ｂによって行われるようにネットワークノード２００からアップリンク送信用の設定を受信するための方法を示す図５を参照する。ステップＳ２０２、Ｓ２０４が図４を参照して開示されるように行われることが想定されるため、これらのステップの繰り返しの説明は省略される。
【００５５】
Ｓ２０６：ワイヤレスデバイス３００ａ、３００ｂは、高速グラントに従ってショートＴＴＩ動作のためにＰＵＳＣＨ上でデータ送信を行う。
【００５６】
ネットワークノード２００によって行われるようにワイヤレスデバイス３００ａにアップリンク送信用の設定を提供し、かつワイヤレスデバイス３００ａ、３００ｂによって行われるようにネットワークノード２００からアップリンク送信用の設定を受信するさらなる詳細に関連する実施形態ついて、ここで開示される。
【００５７】
いくつかの態様では、（ステップＳ１０２において送信されかつステップＳ２０２にあるように受信されるような）アップリンク送信用の設定を含むメッセージ、および（ステップＳ１０４において送信されかつステップＳ２０４にあるように受信されるような）高速グラントは、１つのおよび同じメッセージの一部分である。すなわち、一実施形態によると、高速グラントは、設定を含むメッセージの一部分である。換言すれば、この実施形態によると、設定は高速グラントを含むメッセージの一部分である。よって、単一のメッセージは、アップリンク送信を行うためにワイヤレスデバイス３００ａによって必要とされる全てのスケジューリング情報を含む。設定は、効率的なアップリンク送信を保証するために他のスケジューリング情報と一緒に決定される場合がある。
【００５８】
他の態様では、アップリンク送信用の設定を含むメッセージおよび高速グラントは、１つのおよび同じメッセージの一部分ではない。すなわち、別の実施形態によると、高速グラントは、設定を含むメッセージと異なるメッセージの一部分である。
【００５９】
一実施形態では、アップリンクショートＴＴＩ設定は、ショートＴＴＩ動作のための参照シンボルおよびデータシンボルの位置を規定する。一実施形態によると、参照シンボルは、アップリンク復調用参照信号（ＤＭＲＳ）である。
【００６０】
一実施形態によると、設定では、参照シンボルがそれぞれのサブフレームにおいてシンボル３および１０に位置付けられることが指定される。一実施形態によると、設定では、ショートＴＴＩ動作のためのそれぞれのＴＴＩが多くても１つの参照シンボルを含むことが指定される。一実施形態によると、設定では、参照シンボルが、参照シンボルを含むショートＴＴＩ動作のためのそれぞれのＴＴＩにおいて、最初または最後のどちらかに位置付けられることが指定される。一実施形態によると、設定では、ショートＴＴＩ動作のための異なるＴＴＩでの参照シンボルが共通シンボル上に置かれることが指定される。一実施形態によると、設定では、ショートＴＴＩ動作のための全てのＴＴＩはスロットが含有されていることが指定される。一実施形態によると、ショートＴＴＩ動作のための少なくとも２つのＴＴＩは、１つのサブフレーム内で相互に長さが異なっている。
【００６１】
一実施形態では、設定はそれぞれのサブフレームに対して固定される。一実施形態では、それぞれのショートＴＴＩの長さは、ワイヤレスデバイス３００ａに対するそれぞれのサブフレームに対して固定される。別の表現で言うと、異なるサブフレームにおいて使用される設定は独立してアサイン可能である。
【００６２】
一実施形態によると、設定はショートＴＴＩ設定インデックスによってシグナリングされる。このようなショートＴＴＩ設定インデックスの例は以下の表１に提供されている。一実施形態によると、設定ではさらに、ダウンリンクのＴＴＩ周波数帯域の長さが指定される。
【００６３】
一実施形態では、ショートＴＴＩ設定は低速グラントを送信するネットワークノード２００によってシグナリングされる。低速グラントは、各サブフレームにつき１回に等しいまたはこれより遅いレートで、ダウンリンクにおいて送信可能である。１つの実施形態では、この設定はワイヤレスデバイス３００ａ、３００ｂのグループに対して共通である。それゆえに、一実施形態によると、低速グラントは、サブフレームごとに１回、またはサブフレームごとに１回より少ない頻度で送信される。
【００６４】
一実施形態では、アップリンクショートＴＴＩ送信は高速グラントによってスケジューリングされる。高速グラントは、例えば、ダウンリンクにおけるシンボルベースで、各サブフレームにつき１回より速いレートで送信可能である。高速グラントはデバイス特有とすることができる。それゆえに、一実施形態によると、高速グラントは低速グラントより多い回数で送信される。それゆえに、一実施形態によると、高速グラントは、シンボル数に基づくなど、サブフレームごとに１回より多い頻度で送信される。代替的には、高速グラントおよび低速グラントは、それぞれに対して、より多い頻度で送信されるタイプのグラント、およびより少ない頻度で送信されるタイプのグラントとして特徴付け可能である。さらに代替的には、高速グラントは、従来のアップリンクグラントよりもスケジューリングされたアップリンク送信に対して比較的近くなるように送信されてよい。さらに、高速グラントは、以下のように従来のグラントと異なっている場合があり、つまり、従来のグラントはスタンドアローン式にＵＬ送信をスケジューリングするが、高速グラントは、先の低速グラントにおいて伝えられた情報に頼ることによって（すなわちこれを暗に参照することによって）ＵＬショートＴＴＩ送信のスケジューリングを規定してよい。
【００６５】
さらに別の実施形態では、ショートＴＴＩの設定は、ＲＲＣシグナリングまたはＲＲＣシグナリング、低速グラント、および高速グラントの組み合わせによってもたらされる。それゆえに、一実施形態によると、メッセージは無線リソース制御メッセージまたは低速グラントである。
【００６６】
上で開示された実施形態について、ここで、実例によって説明する。ここで、実施形態に従って、サブフレームにおけるショートＴＴＩ設定を概略的に示す図６〜図１４、およびショートＴＴＩ設定に対するアップリンクグラントを概略的に示す図１５〜図１９を参照する。図６〜図１９では、「ｓＴＴＩ」という表記はショートＴＴＩ動作のためのＴＴＩを指し、「Ｒ」という表記はＤＭＲＳを示すために使用され、「Ｓ」という表記はＳＲＳを示すために使用される。よって、全ての示されるサブフレームはＳＲＳで終わるが、これが一例に過ぎないことに留意されたい。
【００６７】
図６および図７は、それぞれ、７シンボルのＴＴＩ長および４シンボルのＴＴＩ長によるサブフレームにおけるショートＴＴＩ設定の例を示す。これらの２つの設定のための参照シンボルの位置は、従来の１ｍｓのＴＴＩのものと同じである。図６に示される７シンボル設定のケースでは、従来のサブフレームは２つのスロットに分割され、それぞれのスロットは単一の参照シンボルによるショートＴＴＩを形成する。図７に示される４シンボルのショートＴＴＩ設定では、ショートＴＴＩ  ０およびショートＴＴＩ  １の参照シンボルは、同じＯＦＤＭシンボル、すなわち、シンボル３において多重化または共有され、ショートＴＴＩ  ２およびショートＴＴＩ  ３の参照シンボルは、シンボル１０において多重化または共有される。ＤＭＲＳ多重化は同じＯＦＤＭシンボルにおいて多重化される異なるＤＭＲＳシーケンスに言及するが、ＤＭＲＳ共有は、同じＤＭＲＳシーケンスが、同じＵＥにアサインされる２つのショートＴＴＩによって共有されることに言及する。
【００６８】
図６および図７において示される参照信号設定によって動作させることによって、さらに、ネットワークノード２００に、異なるショートＴＴＩ長によるワイヤレスデバイス３００ａ、３００ｂの間のマルチユーザマルチ入力マルチ出力（ＭＵ−ＭＩＭＯ）を動作させることを可能にし、すなわち、４のショートＴＴＩ長によるワイヤレスデバイス３００ａは、７のショートＴＴＩ長によるワイヤレスデバイス３００ｂと多重化する。さらに、ショートＴＴＩをスロットボーダーで終えることによって、異なる長さのショートＴＴＩの時分割多重化を可能にする。以下で、４および７のショートＴＴＩ長でこれを行うことが可能であることを観察することができる。これによって、ネットワークノードの観点から高いリソース利用がもたらされる。さらに、参照信号を異なるセル間で同じ時機に置くことで、セルが同期される場合のセル間干渉が低減される。
【００６９】
図８は、３または４シンボルのＴＴＩ長を有するサブフレームにおけるショートＴＴＩ設定の例を示す。図７に示される設定と比較すると、ＤＭＲＳオーバーヘッドはこの３／４シンボルのショートＴＴＩ設定で増大するが、これは、それぞれのスロット内でＤＭＲＳに使用されるのが２シンボルであるからである。それぞれのショートＴＴＩの初めに送信されるＤＭＲＳシンボルを有することの利益は、ネットワークノード２００がチャネル推定直後にデータを復号し始めることが可能である場合があることである。さらに、３および４のショートＴＴＩ長の設定では、サブフレームの最終スロットにおいて、潜在的なＳＲＳ送信がある可能性があるため、およびショートＴＴＩを長さ３に短縮することによって、長さ４のショートＴＴＩをスロット内の第２の位置に置くことは、有益である。この短縮は、そのスロットに対して特有のシグナリングを必要とせず、むしろ、ワイヤレスデバイス３００ａはサブフレーム内でセル特有のＳＲＳ送信で設定されると想定する。
【００７０】
図９（ａ）は、４つの２シンボルのショートＴＴＩおよび２つの３シンボルのショートＴＴＩによるサブフレームにおけるショートＴＴＩ設定の例を示す。図９（ｂ）は以下に言及される。図９（ａ）の設定において、ＤＭＲＳシンボルはそれぞれのショートＴＴＩの初めに送信される。ショートＴＴＩ  １およびショートＴＴＩ  ２は、同じワイヤレスデバイス３００ａにアサインされ、チャネルのコヒーレンス時間は４シンボルより大きく、ショートＴＴＩ  ２におけるＤＭＲＳシンボル、すなわち、シンボル５は、図１０に示されるように、代わりにデータ送信に使用可能である。この動的なＤＭＲＳ挿入はＤＭＲＳオーバーヘッドを低減することができる。図１０に示される例は、ショートＴＴＩ、すなわち、ショートＴＴＩ  ２およびショートＴＴＩ  ５を明示的に指定し、この場合、動的なＤＭＲＳ挿入が適用される。この設定を規定する別のやり方は、スケジューリンググラントによってＤＭＲＳ挿入のショートＴＴＩを暗に指示することである。すなわち、ワイヤレスデバイス３００ａが、以前のＴＴＩにおいてスケジューリングされ、かつそこでＤＭＲＳを送る場合、ワイヤレスデバイス３００ａは後のショートＴＴＩにおいてＤＭＲＳを送らないものとする。従来のサブフレーム内周波数ホッピングの影響を回避するために、動的なＤＭＲＳ挿入は同じスロット内でのみ可能とされる場合がある。
【００７１】
図１１は、６つの２シンボルのショートＴＴＩおよび２つの３シンボルのショートＴＴＩによるサブフレームにおけるショートＴＴＩ設定の例を示す。図１２は、２つの２シンボルのショートＴＴＩおよび４つの３シンボルのショートＴＴＩによるサブフレームにおけるショートＴＴＩ設定の例を示す。これらの設定では、ＤＭＲＳ多重化またはＤＭＲＳ共有がサポートされる。例えば、ショートＴＴＩ  ０およびショートＴＴＩ  １の参照シンボルは、同じＯＦＤＭシンボル、すなわち、シンボル１において多重化または共有される。図１３は、例えば、ショートＴＴＩ  １とショートＴＴＩ  ２との間にＤＭＲＳ共有またはＤＭＲＳ多重化が適用可能である場合の、２つの２シンボルのショートＴＴＩおよび４つの３シンボルのショートＴＴＩによるサブフレームにおけるショートＴＴＩ設定の別の例を示す。
【００７２】
図１４（ａ）は、８つのショートＴＴＩによるサブフレームにおける２シンボルのショートＴＴＩ設定の例を示す。図１４（ｂ）は以下に言及される。図１４（ａ）における設定について、ショートＴＴＩ  ６およびショートＴＴＩ  ７は同じワイヤレスデバイス３００ａにアサインされるため、ショートＴＴＩ  ７のチャネル推定はショートＴＴＩ  ６において送信されるＤＭＲＳに基づくことが想定される。最も一般的であると言えるが、シンボル１３にＳＲＳがない時、それ自体のＤＭＲＳによる２シンボルのＴＴＩで最終のショートＴＴＩ（第７番）を使用することができる。
【００７３】
上に示される全ての例において、ショートＴＴＩ設定にはスロットが含有されている。すなわち、スロット境界を超えるショートＴＴＩはない。このことは、ショートＴＴＩ送信に対する周波数帯域が、サブフレーム内周波数ホッピングが従来のワイヤレスデバイスに対してサポートされる時、サブフレーム内の２つのスロットの間で変わる場合があるため、有益である。
【００７４】
いくつかの実施形態では、ショートＴＴＩ設定のセットは事前に定義され、かつ、ショートＴＴＩ動作を使用してネットワークノード２００およびワイヤレスデバイス３００ａ、３００ｂ両方に知られていると想定する。ワイヤレスデバイス３００ａによって使用されるショートＴＴＩ設定は、低速グラントを送信するネットワークノード２００によってシグナリング可能である。別の実施形態では、この設定は、上位層シグナリング、例えば、ＲＲＣシグナリングを使用して行われ得る。
【００７５】
例として、図６〜図１４に示されるような８つのショートＴＴＩ設定がアップリンクショートＴＴＩ送信に対して事前に定義されることを考察する。よって、３ビットのショートＴＴＩ設定インデックスフィールドは低速グラントにおいてまたはＲＲＣ設定によって導入可能であり、設定のマッピングの例は表１に示される。
2019526947.tif 000003
【００７６】
図６〜図１４におけるＲＳパターンはスロットが含有されている、すなわち、ＤＭＲＳパターンは全てのスロットにおいて単に繰り返すため、表１を拡張して、第１のスロットおよび第２のスロットが異なるＲＳパターンに従うショートＴＴＩ設定を含むようにすることが可能である。例えば、第１のスロットはシンボル０〜６において図９に挙げられるパターンに従うが、サブフレームの第２のスロットはシンボル７〜１３において図１１に挙げられるパターンに従う。そうするために、ショートＴＴＩ設定のビット数は、これらの追加のショートＴＴＩ設定を指し示すように増加させることができる。
【００７７】
設定インデックスへの代替的なシグナリングも使用可能である。一実施形態では、別個のシグナリングを使用して、サブフレームにおけるＴＴＩ長および参照シンボルの位置を指示する。従って、２つの別個のシグナリング、つまり、１つのシグナリングはｓＴＴＩ長、もう１つのシグナリングは参照シンボルの位置となるように導入可能である。すなわち、一実施形態によると、設定は、ショートＴＴＩの長さを指示する第１のパラメータ、およびショートＴＴＩ動作のための参照シンボルおよびデータシンボルの位置を指示する第２のパラメータによってシグナリングされる。参照シンボルの位置のためのシグナリングは、例えば、以下の３つのケースを指示することができる。第１のケースでは、参照シンボルは、サブフレームの全てのショートＴＴＩに存在し、かつ、サブフレームの全てのショートＴＴＩの初めに常に置かれる。第２のケースでは、参照シンボルは、サブフレームの全てのショートＴＴＩに存在し、サブフレームの全てのショートＴＴＩの初めに常に置かれるわけではない。第３のケースでは、参照シンボルは、サブフレームの全てのショートＴＴＩに存在しない（これは、例えば、動的なＤＭＲＳ挿入の場合に有用である）。
【００７８】
ＴＴＩ長の指示および参照シンボル位置の指示は共に、どの設定がサブフレームに使用されるかをワイヤレスデバイス３００ａ、３００ｂが知るのに役立つ。異なる参照信号パターンがサブフレームの第１のスロットおよび第２のスロットに望まれる場合、ｓＴＴＩ長の指示および参照シンボル位置の指示は、第２のスロットに対して別個に第１のスロットに導入可能である。よって、以下のフィールド全体、つまり、第１のスロットにおけるｓＴＴＩ長のフィールド、第１のスロットにおける参照信号位置のフィールド、第２のスロットにおけるｓＴＴＩ長のフィールド、および第２のスロットにおける参照信号位置のフィールドは、ワイヤレスデバイス３００ａ、３００ｂにシグナリングするために使用可能である。
【００７９】
現在のサブフレーム内の復号済み低速グラントに基づいて、ショートＴＴＩ動作を使用するワイヤレスデバイス３００ａ、３００ｂは、次のまたは将来的なサブフレーム用のショートＴＴＩ設定を知ることができる。サブフレーム内のそれぞれのアップリンクショートＴＴＩ送信は、専用の高速グラントによってスケジューリング可能である。高速グラントは、ＭＩＭＯ送信の場合のトランスポートフォーマットおよびＤＭＲＳ巡回シフトインデックスについての情報を含む。以下では、例示の目的で、アップリンク高速グラントタイミングがスケジューリングされたアップリンクショートＴＴＩ長のおよそ４倍であると想定される。
【００８０】
別の可能性は、ワイヤレスデバイス３００ａが、例えば図８によると、ＲＲＣシグナリングといった、低速グラントベースまたは上位層信号のどちらかで動作するようにネットワークノード２００によって設定される。さらに、ＤＣＩメッセージは、図８または図９に従ってショートＴＴＩを適用するか否かを指示することができる。これによって、ショートＴＴＩをそれぞれのスロットにおける第１のショートＴＴＩの長さ４に拡張させることができ、そのショートＴＴＩの終わりのＲＳを置き換えることができる。これによって、ネットワークノード２００は、ＤＭＲＳ多重化、ＤＭＲＳ共有を使用するか否か、またはこれらのどちらも使用しないことを動的に選択することが可能になる。この概念はまた、他のショートＴＴＩ長の組み合わせに拡張可能である。
【００８１】
上で略述したように、ｓＴＴＩ長はワイヤレスデバイス３００ａ、３００ｂごとにＲＲＣによって設定可能である。例えば、１つのワイヤレスデバイスは７シンボルのｓＴＴＩ長、別のワイヤレスデバイスは３／４シンボルのｓＴＴＩ長、さらに別のワイヤレスデバイスは２／３シンボルの長さで設定可能である。全てのワイヤレスデバイス３００ａ、３００ｂは、同じｓＴＴＩ周波数帯域において動作してよい。ワイヤレスデバイス３００ａ、３００ｂは、さらにまた、高速または低速ＤＣＩメッセージにおけるビットフィールドに基づいてｓＴＴＩ内の異なる位置で参照シンボル多重化／共有で動作するように設定可能である。しかしながら、ビットフィールドの意味は、異なるワイヤレスデバイス３００ａ、３００ｂが設定されるｓＴＴＩ長に応じて、異なるワイヤレスデバイス３００ａ、３００ｂによって異なるように解釈される場合がある。例えば、ｓＴＴＩ長７によって設定されるワイヤレスデバイス３００ａ、３００ｂは、参照シンボル多重化または共有を全く適用しない場合がある。４／３のｓＴＴＩ長によって設定されるワイヤレスデバイス３００ａ、３００ｂは、図７または図８において異なるｓＴＴＩ定義の間で切り換えるように設定されてよい。さらに、この切り換えはまたスケジューリングに基づいて行われ得る。すなわち、ワイヤレスデバイス３００ａ、３００ｂが同じ周波数リソースにおいて複数の連続したｓＴＴＩにおいてスケジューリングされる場合、ワイヤレスデバイス３００ａ、３００ｂは参照シンボルを含むか否かを決定することができる。同じ概念は、２／３のＯＦＤＭシンボルの長さによるｓＴＴＩ設定にも当てはまる可能性がある。この概念の範囲内で、ワイヤレスデバイス３００ａ、３００ｂは、表１におけるシグナリングに従って動作する必要はないが、表１によって示される基本設定は指定される必要がある。ワイヤレスデバイス３００ａ、３００ｂはそれによって、表１における完全なリストに従って動作する必要はなく、これらの設定のサブセットにのみ従って動作する。ワイヤレスデバイス３００ａ、３００ｂはさらにまた、サブセットに含まれるそれらの設定の間においてのみ選択できる。ワイヤレスデバイス３００ａ、３００ｂは、例えば、さらにまた、暗黙のスケジューリングまたはＤＣＩメッセージ内の指示に基づいてどの設定を使用するのかを選択することになる。この点において、それぞれの既定の設定済みｓＴＴＩ長に対するｓＴＴＩパターンは異なっている可能性がある。例えば、図７および図８に示される２つの異なるパターンは、ｓＴＴＩ長が３／４シンボルである場合の設定に使用可能である。ｓＴＴＩ長がＲＲＣによって設定される場合、（表１における全てのエントリといった）全ての候補設定が（ＤＣＩメッセージにおいて）ワイヤレスデバイス３００ａ、３００ｂにシグナリングされる必要はない。むしろ、図７または図８を想定するかどうかをワイヤレスデバイス３００ａ、３００ｂに指示する必要があるのは（ＤＣＩメッセージにおいて）１つのビットのみである。
【００８２】
図１５〜図１９において、低速グラントは一点鎖線矢印によって示されており、高速グラントは実線によって示されている。図１５はショートＴＴＩ設定０での提案されたアップリンクグラントを示す。７シンボルのショートＴＴＩによるショートＴＴＩ設定０について、検出された低速グラントは後に２つのサブフレームに有効である。他のショートＴＴＩ設定、すなわち、４シンボル以下のショートＴＴＩ長による設定について、検出された低速グラントは次のサブフレームに有効である。
【００８３】
図１６および図１７は、それぞれ、ショートＴＴＩ設定１およびショートＴＴＩ設定３に対して提案されたアップリンクグラントを示す。
【００８４】
図１８は、動的なＤＭＲＳ挿入がサポートされる場合の、ショートＴＴＩ設定４に対して提案されたアップリンクグラントを示す。この場合、ショートＴＴＩ  ０およびショートＴＴＩ  １を単一のワイヤレスデバイス３００ａに対してスケジューリングするために１つの高速グラントのみが必要とされ、同じことがショートＴＴＩ  ３およびショートＴＴＩ  ４のスケジューリングにも当てはまる。
【００８５】
図１９は、ショートＴＴＩ設定７に対して提案されたアップリンクグラントを示す。
【００８６】
表１に挙げられる事前に定義された設定全てに対して、図１５〜図１９に示されるように、１つのダウンリンクショートＴＴＩとアップリンクショートＴＴＩとの間に１対１マッピングがある。これは、スケジューリングされたアップリンクショートＴＴＩのタイミングを指示するために必要とされる余分のビットフィールドがないため、有益である。
【００８７】
サブフレーム間の設定の切り換えがあり、かつその設定が（７シンボルのショートＴＴＩによる）設定０ではない場合、１つのダウンリンクショートＴＴＩとアップリンクショートＴＴＩとの間の１対１マッピングは依然維持可能である。これは、現在のサブフレーム内の低速グラントを復号することによって、ショートＴＴＩ動作を使用するワイヤレスデバイス３００ａ、３００ｂが表１に規定される復号済みの３ビットフィールドから次のサブフレームに対するショートＴＴＩ設定を知ることができるからである。それぞれの設定に対して、１つのダウンリンクショートＴＴＩとアップリンクショートＴＴＩとの間に１対１マッピングがあるため、１対１マッピングはサブフレーム間で切り換えるこの設定によっても維持される。
【００８８】
ここで、例えば、設定０がサブフレーム２において使用され、設定１がサブフレーム１において使用されると想定する。さらにまた、２つの低速グラントをサブフレーム０から、１つは設定１に対して、もう１つは設定２に対して送ることができる。ショートＴＴＩ設定インデックスフィールド、すなわち、低速グラントに示される３ビットを復号することによって、ワイヤレスデバイス３００ａは、この低速グラントが適用するのはどのショートＴＴＩ設定かを正しく判断することができることで、低速グラントが有効なのはどのサブフレームか、およびこのサブフレームに対する対応するショートＴＴＩ設定を正しく判断することができる。この例に対して、サブフレーム０のダウンリンクシンボル２に対して２つの高速グラントが送信されることになる。これらの２つの高速グラントが同じワイヤレスデバイス３００ａに送られる場合、この高速グラントが設定０、すなわち、７シンボル設定に対するものか、または他の設定のいずれかに対するものかどうかを指示するために高速グラントにフラグを挿入することができる。
【００８９】
アップリンクショートＴＴＩの数がダウンリンクショートＴＴＩの数より多い場合のショートＴＴＩ設定について、スケジューリングされたアップリンクショートＴＴＩを指示するために高速グラントにおいて遅延オフセットパラメータが必要とされる場合がある。この場合、いくつかのアップリンクグラントは、それぞれのダウンリンクショートＴＴＩに含まれ得る。代替的には、いくつかの高速グラントはＰＤＣＣＨによって送信可能である。
【００９０】
表１に略述されたアップリンクパターンは複数の異なるＴＴＩ長を含み、これらは全て、上で略述されるように、アップリンクグラントタイミングによって２のＯＦＤＭシンボルのダウンリンクＴＴＩ長と共に設定されてよい。異なるダウンリンクＴＴＩ長に対して、表１におけるある特定のケースはサポートされない場合がある。１つの例として、ダウンリンクＴＴＩ長が４である場合、アップリンクＴＴＩ長は２ではない場合があるが、これはダウンリンクＴＴＩごとに複数のＵＬグラントを必要とするからであり、このことはサポートされない場合がある。
【００９１】
一実施形態では、ダウンリンクＴＴＩ長およびアップリンクＴＴＩ長は、限定されたビットのセットと共に指示可能である。一例として、４の異なるＴＴＩ長に対して、設定を表２にあるようにすることができる。ここで、アップリンク設定インデックスは表１の時点のものであり、ダウンリンクＴＴＩ長は２、３、４、または７のＯＦＤＭシンボルとすることができる。この例では、４ビットは、低速グラントにおけるダウンリンクＴＴＩおよびアップリンクＴＴＩ指示には、またはＲＲＣシグナリングの使用には十分であると思われる。
2019526947.tif 000004
【００９２】
本明細書に開示される実施形態の態様はさらに、ｓＰＵＳＣＨの物理設計態様に関連して以下に提供される、含まれる実装例において示される。
【００９３】
図２０は、いくつかの機能ユニットの観点から、一実施形態によるネットワークノード２００のコンポーネントを概略的に示す。処理回路２１０は、例えば、記憶媒体２３０の形態で、（図２４にあるように）コンピュータプログラム製品２４１０ａに記憶されるソフトウェア命令を実行可能である、適した中央処理装置（ＣＰＵ）、マルチプロセッサ、マイクロコントローラ、デジタル信号プロセッサ（ＤＳＰ）などのうちの１つまたは複数の任意の組み合わせを使用して提供される。処理回路２１０はさらに、少なくとも１つの特定用途向け集積回路（ＡＳＩＣ）、またはフィールドプログラマブルゲートアレイ（ＦＰＧＡ）として提供されてよい。
【００９４】
とりわけ、処理回路２１０は、上で開示されるように、ネットワークノード２００に動作のセット、またはステップＳ１０２〜Ｓ１０６を行わせるように設定される。例えば、記憶媒体２３０は、動作のセットを記憶してよく、処理回路２１０は、ネットワークノード２００にこの動作のセットを行わせるために記憶媒体２３０から動作のセットを検索するように設定されてよい。動作のセットは実行可能命令のセットとして提供されてよい。よって、処理回路２１０はそれによって、本明細書に開示されるような方法を実行するために配置される。
【００９５】
記憶媒体２３０は、例えば、磁気メモリ、光メモリ、ソリッドステートメモリ、またはさらにはリモートでマウントされたメモリのうちの任意の１つまたは組み合わせとすることができる永続記憶装置を含むこともできる。
【００９６】
ネットワークノード２００は、少なくともワイヤレスデバイス３００ａ、３００ｂとの通信のために通信インターフェース２２０をさらに含んでよい。そのように、通信インターフェース２２０は、アナログコンポーネントおよびデジタルコンポーネント、ならびに、ワイヤレス通信のための適した数のアンテナ、および有線通信のための適した数のポートを含む、１つまたは複数の送信機および受信機を含んでよい。
【００９７】
処理回路２１０は、例えば、通信インターフェース２２０および記憶媒体２３０にデータおよび制御信号を送ることによって、通信インターフェース２２０からデータおよびレポートを受信することによって、および、記憶媒体２３０からデータおよび命令を検索することによって、ネットワークノード２００の全般の動作を制御する。ネットワークノード２００の他のコンポーネントのみならず関連の機能性は、本明細書に提示される概念を不明瞭にしないために省略される。
【００９８】
図２１は、いくつかの機能モジュールの観点から、一実施形態によるネットワークノード２００のコンポーネントを概略的に示す。図２１のネットワークノード２００は、ステップＳ１０２を行うように設定される送信モジュール２１０ａ、およびステップＳ１０４を行うように設定される送信モジュール２１０ｂといった、いくつかの機能モジュールを含む。図２１のネットワークノード２００は、ステップＳ１０６を行うように設定される受信モジュール２１０ｃといった、いくつかのオプションの機能モジュールをさらに含んでよい。一般的には、それぞれの機能モジュール２１０ａ〜２１０ｃは、ハードウェアまたはソフトウェアにおいて実装されてよい。好ましくは、機能モジュール２１０ａ〜２１０ｃのうちの１つまたは複数または全ては、場合によって、機能ユニット２２０および／または２３０と協働して、処理回路２１０によって実装されてよい。処理回路２１０はよって、機能モジュール２１０ａ〜２１０ｃによって提供されるような命令を記憶媒体２３０からフェッチするために、および、これらの命令を実行するために配置されてよく、それによって、本明細書に開示されるようにネットワークノード２００のいずれのステップも行うことができる。
【００９９】
ネットワークノード２００は、スタンドアローンデバイスとして、または、少なくとも１つのさらなるデバイスの一部分として提供されてよい。例えば、ネットワークノード２００は、無線アクセスネットワーク１１０のノード、またはコアネットワーク１２０のノードにおいて提供されてよい。例えば、ネットワークノード２００、またはその少なくとも１つの機能性は、無線基地局、無線基地局装置、ＮｏｄｅＢ、エボルブドＮｏｄｅＢ、アクセスポイント、またはアクセスノードにおいて実装可能である。代替的には、ネットワークノード２００の機能性は、少なくとも２つのデバイスまたはノードの間で分布されてよい。これらの少なくとも２つのノードまたはデバイスは、（無線アクセスネットワーク１１０またはコアネットワーク１２０などの）同じネットワーク部分の一部分であってよい、または、少なくとも２つのこのようなネットワーク部分の間で拡散させてよい。一般的には、リアルタイムで行われる必要がある命令は、無線アクセスネットワーク１１０におけるデバイスまたはノードにおいて行われてよい。
【０１００】
よって、ネットワークノード２００によって行われる命令の第１の一部は第１のデバイスにおいて実行されてよく、ネットワークノード２００によって行われる命令の第２の一部は第２のデバイスにおいて実行されてよく、本明細書に開示される実施形態は、任意の特定の数のデバイスに限定されず、該デバイス上で、ネットワークノード２００によって行われる命令は実行されてよい。それゆえに、本明細書に開示される実施形態による方法は、クラウド計算環境にあるネットワークノード２００によって行われるのに適している。従って、単一の処理回路２１０が図２０に示されているが、処理回路２１０は、複数のデバイスまたはノードの間で分布させてよい。同じことが、図２１の機能モジュール２１０ａ〜２１０ｃ、および図２４のコンピュータプログラム２４２０ａにも当てはまる（以下を参照）。
【０１０１】
図２２は、いくつかの機能ユニットの観点から、一実施形態によるワイヤレスデバイス３００ａ、３００ｂのコンポーネントを概略的に示す。処理回路３１０は、例えば、記憶媒体３３０の形態で、（図２４にあるように）コンピュータプログラム製品２４１０ｂに記憶されるソフトウェア命令を実行可能である、適した中央処理装置（ＣＰＵ）、マルチプロセッサ、マイクロコントローラ、デジタル信号プロセッサ（ＤＳＰ）などのうちの１つまたは複数の任意の組み合わせを使用して提供される。処理回路３１０はさらに、少なくとも１つの特定用途向け集積回路（ＡＳＩＣ）、またはフィールドプログラマブルゲートアレイ（ＦＰＧＡ）として提供されてよい。
【０１０２】
とりわけ、処理回路３１０は、上で開示されるように、ワイヤレスデバイス３００ａ、３００ｂに動作のセット、またはステップＳ２０２〜Ｓ２０８を行わせるように設定される。例えば、記憶媒体３３０は、動作のセットを記憶してよく、処理回路３１０は、ワイヤレスデバイス３００ａ、３００ｂにこの動作のセットを行わせるために記憶媒体３３０から動作のセットを検索するように設定されてよい。動作のセットは実行可能命令のセットとして提供されてよい。よって、処理回路３１０はそれによって、本明細書に開示されるような方法を実行するために配置される。
【０１０３】
記憶媒体３３０は、例えば、磁気メモリ、光メモリ、ソリッドステートメモリ、またはさらにはリモートでマウントされたメモリのうちの任意の１つまたは組み合わせとすることができる永続記憶装置を含むこともできる。
【０１０４】
ワイヤレスデバイス３００ａ、３００ｂは、少なくともネットワークノード２００との通信のために通信インターフェース３２０をさらに含んでよい。そのように、通信インターフェース３２０は、アナログコンポーネントおよびデジタルコンポーネント、ならびに、ワイヤレス通信のための適した数のアンテナ、および有線通信のための適した数のポートを含む、１つまたは複数の送信機および受信機を含んでよい。
【０１０５】
処理回路３１０は、例えば、通信インターフェース３２０および記憶媒体３３０にデータおよび制御信号を送ることによって、通信インターフェース３２０からデータおよびレポートを受信することによって、および、記憶媒体３３０からデータおよび命令を検索することによって、ワイヤレスデバイス３００ａ、３００ｂの全般の動作を制御する。ワイヤレスデバイス３００ａ、３００ｂの他のコンポーネントのみならず関連の機能性は、本明細書に提示される概念を不明瞭にしないために省略される。
【０１０６】
図２３は、いくつかの機能モジュールの観点から、一実施形態によるワイヤレスデバイス３００ａ、３００ｂのコンポーネントを概略的に示す。図２３のワイヤレスデバイス３００ａ、３００ｂは、ステップＳ２０２を行うように設定される受信モジュール３１０ａ、およびステップＳ２０４を行うように設定される受信モジュール３１０ｂといった、いくつかの機能モジュールを含む。図２３のワイヤレスデバイス３００ａ、３００ｂは、ステップＳ２０６を行うように設定されるデータ送信モジュール３１０ｃといった、いくつかのオプションの機能モジュールをさらに含んでよい。一般的には、それぞれの機能モジュール３１０ａ〜３１０ｃは、ハードウェアまたはソフトウェアにおいて実装されてよい。好ましくは、機能モジュール３１０ａ〜３１０ｃのうちの１つまたは複数または全ては、場合によって、機能ユニット３２０および／または３３０と協働して、処理回路３１０によって実装されてよい。処理回路３１０はよって、機能モジュール３１０ａ〜３１０ｃによって提供されるような命令を記憶媒体３３０からフェッチするために、および、これらの命令を実行するために配置されてよく、それによって、本明細書に開示されるようにワイヤレスデバイス３００ａ、３００ｂのいずれのステップも行うことができる。
【０１０７】
図２４は、コンピュータ可読手段２４３０を含むコンピュータプログラム製品２４１０ａ、２４１０ｂの１つの例を示す。このコンピュータ可読手段２４３０上に、コンピュータプログラム２４２０ａは記憶可能であり、このコンピュータプログラム２４２０ａは、処理回路２１０、およびこれに動作可能に結合される、通信インターフェース２２０および記憶媒体２３０などのエンティティおよびデバイスに、本明細書に説明される実施形態による方法を実行させることができる。よって、コンピュータプログラム２４２０ａおよび／またはコンピュータプログラム製品２４１０ａは、本明細書に開示されるようなネットワークノード２００のいずれのステップも行うための手段を提供することができる。このコンピュータ可読手段２４３０上に、コンピュータプログラム２４２０ｂは記憶可能であり、このコンピュータプログラム２４２０ｂは、処理回路３１０、およびこれに動作可能に結合される、通信インターフェース３２０および記憶媒体３３０などのエンティティおよびデバイスに、本明細書に説明される実施形態による方法を実行させることができる。よって、コンピュータプログラム２４２０ｂおよび／またはコンピュータプログラム製品２４１０ｂは、本明細書に開示されるようなワイヤレスデバイス３００ａ、３００ｂのいずれのステップも行うための手段を提供することができる。
【０１０８】
図２４の例において、コンピュータプログラム製品２４１０ａ、２４１０ｂは、ＣＤ（コンパクトディスク）またはＤＶＤ（デジタル多用途ディスク）またはブルーレイディスクなどの光ディスクとして示される。コンピュータプログラム製品２４１０ａ、２４１０ｂはまた、ランダムアクセスメモリ（ＲＡＭ）、読み出し専用メモリ（ＲＯＭ）、消去可能プログラマブル読み出し専用メモリ（ＥＰＲＯＭ）、または電気的消去可能プログラマブル読み出し専用メモリ（ＥＥＰＲＯＭ）などのメモリとして、より詳細には、ＵＳＢ（ユニバーサルシリアルバス）メモリ、またはコンパクトフラッシュメモリといったフラッシュメモリなどの外部メモリにおけるデバイスの不揮発性記憶媒体として、具現化可能である。よって、コンピュータプログラム２４２０ａ、２４２０ｂはここで、図示される光ディスク上のトラックとして概略的に示されているが、コンピュータプログラム２４２０ａ、２４２０ｂは、コンピュータプログラム製品２４１０ａ、２４１０ｂに適した任意のやり方で記憶可能である。
【０１０９】
ｓＰＵＳＣＨの物理設計態様に関連する詳細な実装例が、ここで提供される。
【０１１０】
実装例は、ＰＵＳＣＨ上のアップリンク送信のために短縮するＴＴＩの物理層設計に関係し、短縮したＴＴＩ長によるＰＵＳＣＨの設計をどのように拡張するかを表したものである。
【０１１１】
アップリンク送信用のショートＴＴＩ（ｓＴＴＩ）設定のための態様についてここで、考慮する異なるｓＴＴＩ長と共に略述する。レイテンシ低減に関する検討項目中に、複数のｓＴＴＩ長は考慮されており、ここで、複数のｓＴＴＩ長がサポートされると想定する。しかしながら、単一のｓＴＴＩ長がサポートされる場合でも、実際の設計詳細は利用価値がある。
【０１１２】
スロットベースでのアップリンク周波数ホッピングはＰＵＳＣＨ送信に適用可能である。これは、サブフレーム内周波数ホッピングがｓＴＴＩで動作しないワイヤレスデバイスに対してサポートされる時に、アップリンクｓＴＴＩ送信に割り当てられる周波数帯域が、サブフレーム内の２つのスロット間で変わる場合があることを暗示する。このような動作は、ｓＴＴＩ帯域がそれ自体同じホッピングパターンに従うことを必要とする場合がある。さらに、良好なリソース利用を可能にするために、同じｓＴＴＩ帯域で異なるｓＴＴＩ長によって動作するワイヤレスデバイスを多重化可能とすることは良いと思われる。１つのワイヤレスデバイスがスロットベースのｓＴＴＩ長を適用し、かつ別のワイヤレスデバイスが短縮したｓＴＴＩ帯域幅で動作する場合、時間内に互いに積み重ねられ得る場合、リソース利用はより効率的になる。従って、アップリンクｓＴＴＩ送信はスロット境界を超えてサポートされない場合がある。
【０１１３】
それゆえに、一実施形態によると、アップリンクｓＴＴＩ送信はスロット境界を超えてマッピングされない。
【０１１４】
さらに、設計を簡単にするために、一般的なｓＴＴＩ構造が既定のｓＴＴＩ長でのサブフレームにおける両方のスロットにおいて同じである場合、有利である可能性がある。当然ながら、ＳＲＳが第２のスロットにおいて最終ＯＦＤＭシンボルにおいて送信されてよいことは例外である。しかしながら、既定の設定済みｓＴＴＩ長について、異なるｓＴＴＩの開始位置および終了位置は、サブフレームの第１のスロットおよび第２のスロットにおいて同じとする。
【０１１５】
それゆえに、一実施形態によると、共通のｓＴＴＩ設計は、既定のｓＴＴＩ長でのｓＰＵＳＣＨに対するサブフレームにおける両方のスロットに対して使用される。
【０１１６】
さらに設計を進展させるために、ｓＴＴＩ長に応じてｓＰＵＳＣＨに対する異なるｓＴＴＩパターンオプションを特定することは有利である可能性がある。これはまた、Ｔｄｏｃ  Ｒ１−１６５２９６、Ｐｈｙｓｉｃａｌ  ｄｅｓｉｇｎ  ａｓｐｅｃｔｓ  ｏｆ  ｓＰＵＳＣＨ、Ｅｒｉｃｓｓｏｎ、３ＧＰＰ  ＴＳＧ−ＲＡＮ  ＷＧ１  ＃８５、Ｎａｎｊｉｎｇ、Ｐ．Ｒ．Ｃｈｉｎａ、２０１６年５月２３日〜２７日に論じられている。ここで、ＤＭＲＳ位置に関してさらに具体的な詳細においてｓＰＵＳＣＨについて同じ論述を続ける。ｓＰＵＳＣＨについて、原則として、７、３／４、および２／３のＯＦＤＭシンボルといった、考慮する３つの異なるｓＴＴＩ長がある。潜在的なＳＲＳ送信の存在と共に先に説明した設計の想定は、ｓＴＴＩ長として２または４のＯＦＤＭシンボルのみを有するｓＴＴＩパターンをサポートすることを困難にする。
【０１１７】
ｓＰＵＳＣＨのためのショートＴＴＩパターンの例は、図６、図８、および図９に示されている。これらのパターンにおいて、ＤＭＲＳシンボルは、ｓＴＴＩの初めにまたは途中に置かれることで、ｓＰＵＳＣＨの復号はｓＴＴＩの終了前に開始できる。これによって、ネットワークノードは再送信が必要とされるかどうかを先に知ることができ、かつ遅延を低減してこの再送信をスケジューリングすることができる。
【０１１８】
それゆえに、一実施形態によると、ｓＴＴＩ内のＤＭＲＳの早期位置によるｓＰＵＳＣＨパターンがサポートされる。
【０１１９】
さらに考慮する別の態様は、ｓＰＵＳＣＨのためのＰＵＳＣＨの現在のＤＭＲＳ位置を再利用することで、これが近隣セルからのセル間干渉を低減することによってチャネル推定を改善することができるという利益である。異なるＵＬのｓＴＴＩ設定に対する共通のＤＭＲＳ位置を有することの別の利益は、これによって、ネットワークノードが異なるｓＴＴＩ長によるワイヤレスデバイス間のＭＵ−ＭＩＭＯを動作することができることである。異なるｓＴＴＩ長に対する共通のＤＭＲＳ位置の使用が有益と考えられる場合、図９（ａ）におけるパターンは、２シンボルのＴＴＩ長に対する図９（ｂ）におけるものより適している。しかしながら、ＳＲＳ送信がスケジューリングされる場合、図９（ａ）の最終ｓＴＴＩは使用不可であるが、図９（ｂ）には当てはまらない。
【０１２０】
よって、ｓＰＵＳＣＨとＰＵＳＣＨとの間、また、異なるｓＴＴＩ長のｓＰＵＳＣＨパターンの間で共通のＤＭＲＳ位置を有することは、有利である場合がある。
【０１２１】
３ＧＰＰ  ＴＲ３６．８８１、Ｓｔｕｄｙ  ｏｎ  ｌａｔｅｎｃｙ  ｒｅｄｕｃｔｉｏｎ  ｔｅｃｈｎｉｑｕｅｓ  ｆｏｒ  ＬＴＥ、ｖ０．６．０（２０１６年３月）またはｖ０．７．０（２０１６年６月）またはｖ１４．０．０（２０１６年７月）におけるリンクレベルの結果およびシステム評価では、ＲＳオーバーヘッドを限定することは、ＤＭＲＳ多重化およびＤＭＲＳ共有の両方をサポートするのに有益であることが示されている。ＤＭＲＳ多重化は、複数のワイヤレスデバイスが同じＤＭＲＳリソースを共有することによって規定されるが、ｓＰＵＳＣＨおよびＤＭＲＳ共有のデータ部分に対する同じではないリソースは、複数のｓＴＴＩで送信する時に同じワイヤレスデバイスが単一のＲＳのみを送信することによって規定される。定義によって、（ＭＵ−ＭＩＭＯはサポートできるが）スロットベースのｓＴＴＩ長に対するＤＭＲＳ多重化をサポートすることは不可能である。ＤＭＲＳ共有によって、潜在的には、スロットベースのｓＴＴＩ長をサポートするのは可能と思われる。しかしながら、ＤＭＲＳ共有をサポートすることによるゲインは、ＤＭＲＳの比例するオーバーヘッドが大きくなるにつれてｓＴＴＩ長が小さくなることで、大きくなる。
【０１２２】
一実施形態によると、３／４および２／３のＯＦＤＭシンボル長のｓＴＴＩ長に対して、ＤＭＲＳ位置は共有可能であるが、ｓＴＴＩ送信、すなわちＤＭＲＳ多重化のための複数のワイヤレスデバイスからのデータ部分は共有できない。一実施形態によると、同じワイヤレスデバイスによる連続したｓＰＵＳＣＨ送信のための、３／４および２／３のＯＦＤＭシンボル長のｓＴＴＩ長に対して、ＤＭＲＳは、これらのサブセット、すなわち、ＤＭＲＳ共有においてのみ含まれ得る。ＤＭＲＳ共有は、７のＯＦＤＭシンボルのｓＴＴＩ長に対してサポートされる場合がある。
【０１２３】
幅広い観点からすれば、ＤＭＲＳ多重化およびＤＭＲＳ共有はある特定のｓＴＴＩ長に対して強制的に動作させられることはなく、むしろ、ネットワークノードがそれらの使用を選定する場合使用可能であることが好ましい場合がある。ＤＭＲＳ多重化およびＤＭＲＳ共有は、ＲＳオーバーヘッドの観点から利益を有するが、高度なＭＣＳ送信に対して、または非常に高度に遅延を拡散させるシナリオにおいて使用される場合に欠点を有する。よって、ネットワークノードは、これらの２つの動作のモードの間で切り換え可能であるものとする。図２に示されるように、「エラー！参照元が見つかりません。」について、４のＯＦＤＭシンボルのｓＴＴＩ長によるＤＭＲＳ多重化／共有の動作を可能にすることができる。ネットワークノードがＤＭＲＳ多重化／共有の利用を望まない場合、代わりに図８におけるパターンを設定できる。同じことが２シンボルのｓＴＴＩ長に当てはまる。ネットワークノードがＤＭＲＳ多重化／共有を使用して動作することを望む場合、「エラー！参照元が見つかりません。」ａ）または「エラー！参照元が見つかりません。」ｂ）におけるパターンが設定される。その他の場合、ＤＭＲＳ多重化／共有がない図９におけるパターンが使用される。
【０１２４】
それゆえに、一実施形態によると、３／４および２／３のＯＦＤＭシンボル長のｓＴＴＩ長に対して、ネットワークノードがＤＭＲＳ多重化／共有による動作とＤＭＲＳ多重化／共有のない動作との間で選択するための設定パラメータが規定される。
【０１２５】
上記の図６、図７、図８、図９、図１４を参照して示されるように異なるｓＰＵＳＣＨパターンを可能にするために、少なくとも２つのパラメータが必要とされる。ワイヤレスデバイスはｓＰＵＳＣＨ送信のために使用されるｓＴＴＩ長を知る必要があり、またＤＭＲＳ位置を知る必要がある。これらの２つのパラメータは、原則として、別個に設定可能である。既定のワイヤレスデバイスのｓＴＴＩ長は、ＤＭＲＳ設定の度に変更される必要はない場合がある。ＤＭＲＳ設定は、アクティブなワイヤレスデバイスの数、これらのワイヤレスデバイスのタイプ（高度のＭＣＳが期待されているか否か）、それらのバッファ状態などに適応させる必要がある。よって、このＤＭＲＳ設定はＰＤＣＣＨまたはｓＰＤＣＣＨ上で送られるものとする。ｓＰＵＳＣＨのｓＴＴＩ長は、カバレッジ面に基づく必要がある、すなわち、ワイヤレスデバイスが劣ったカバレッジエリアにさらにもっと入っていくにつれて、ネットワークノードはますます長いｓＴＴＩ長を設定することによって適応することになる。ｓＴＴＩ長のＲＲＣ設定は、この場合十分であると思われる。しかしながら、ｓＴＴＩ長の適応が速くなることは、ＴＣＰトラフィックの場合、ＴＣＰスロースタートフェーズの終了に近づいているという推定に従ってｓＴＴＩ長を適応させるために有益であることが示されている。これは、ＰＤＣＣＨまたはｓＰＤＣＣＨ上で送られるワイヤレスデバイス特有のＤＣＩ上でのｓＰＵＳＣＨ長のより速いシグナリングを必要とする可能性がある。この場合、ＴＴＩ長およびＤＭＲＳ位置の合同設定は考慮可能である。
【０１２６】
アップリンク制御情報（ＵＣＩ）は、ＨＡＲＱ−ＡＣＫビット、ＣＳＩ、およびスケジューリング要求を含む。従来の動作において、ワイヤレスデバイスが現在のサブフレームにおいて有効なスケジューリンググラントを有さない場合、ＵＣＩはＰＵＣＣＨで送られ、その他の場合、ＵＣＩは、ＰＵＳＣＨ上に符号化データで常に時分割多重化される。ｓＴＴＩを導入する時、ＵＣＩをどのように送るかが考慮される必要がある。
【０１２７】
ＰＵＣＣＨおよびｓＰＵＳＣＨが同じショートＴＴＩ長を有する時、ＵＣＩを送るための従来の規則に従うのは簡単であり、すなわち、ワイヤレスデバイスが現在のサブフレームにおいて有効なスケジューリンググラントを有さない場合、ＵＣＩはｓＰＵＣＣＨで送られ、その他の場合、ＵＣＩはｓＰＵＳＣＨ上に符号化データによって多重化される。しかしながら、異なる長さのｓＰＵＣＣＨおよびｓＰＵＳＣＨの場合、ｓＰＵＣＣＨ上で送られるＵＣＩはｓＰＵＳＣＨ送信と衝突する（ＯＦＤＭシンボル内で重なり合う）場合がある。この場合、ネットワークノードはｓＰＵＳＣＨをスケジューリングする時にＨＡＲＱ−ＡＣＫの存在を考慮に入れるものとし、それによって、ＵＣＩは、ワイヤレスデバイスにとって有効なＵＬスケジューリンググラントがある場合、および、スケジューリングされたｓＰＵＳＣＨがｓＰＵＣＣＨと同じスロット内にある場合、常にｓＰＵＳＣＨ上で送られる。
【０１２８】
それゆえに、一実施形態によると、ＵＣＩは、時間内にｓＰＵＣＣＨと重なり合う場合、常にｓＰＵＳＣＨ上で送られる。
【０１２９】
頻繁なＣＳＩフィードバックは速いリンク適合に役立つ可能性がある。従来の動作では、これは、非周期的なＣＳＩフィードバックと共にＰＵＣＣＨ上での周期的なＣＳＩフィードバックによって可能になる。単一のサブフレームに複数のｓＰＤＣＣＨを導入する時、ｓＰＵＳＣＨ上でより頻繁な非周期的なＣＳＩフィードバックを検索することが可能である。従って、ｓＴＴＩ送信に対する非周期的なＣＳＩレポートのみをサポートすることで十分である場合がある。また、ｓＰＵＳＣＨに割り当てられるリソース要素はｓＰＵＣＣＨのものよりもかなり大きくなる可能性があり、これによって、ｓＰＵＳＣＨ上で大きいペイロードのＣＳＩレポートを送信することがより適するようにする。
【０１３０】
それゆえに、一実施形態によると、ＰＵＣＣＨおよびＰＵＳＣＨ上での既存のＣＳＩレポートに加えて、ｓＴＴＩ送信に対するｓＰＵＳＣＨ上での非周期的なＣＳＩレポートのみがサポートされる。
【０１３１】
従来のＰＵＳＣＨおよびｓＰＵＳＣＨが同じリソースにおいて異なるワイヤレスデバイスから送信される場合、ｓＰＵＳＣＨは従来のＰＵＳＣＨ送信によってもたらされる大きいレベルの干渉に悩まされる可能性がある。ＰＵＳＣＨおよびｓＰＵＳＣＨに割り当てられる電力は、ノイズ電力よりかなり大きい場合がある。この干渉はｓＰＵＳＣＨの復号を消失させる場合がある。ＰＵＳＣＨを復号するために、ネットワークノードはｓＰＵＳＣＨ送信と重ね合わさったデータシンボルを除去することができるか、ｓＰＵＳＣＨを干渉とみなすことによってＰＵＳＣＨを復号することを試みることができる。しかしながら、これらのアプローチの両方が、ＰＵＳＣＨの復号に失敗してしまう場合がある。本明細書に開示される実施形態によって、ネットワークノードはこのようなスケジューリングを行うことが可能になる。
【０１３２】
同じワイヤレスデバイスに対する従来のＰＵＳＣＨ送信が既にスケジューリングされている時ワイヤレスデバイスがｓＰＵＳＣＨ送信に対してスケジューリングされ、かつ、ｓＰＵＳＣＨに割り当てられたリソースが従来のＰＵＳＣＨに対するリソースと重なり合う場合、ワイヤレスデバイスは重なり合ったリソース上でｓＰＵＳＣＨのみを送信することによってＰＵＳＣＨをパンクチャすることができる。この場合、ｓＰＵＳＣＨはネットワークノードによって復号可能である。しかしながら、パンクチャリングにより、重なり合ったリソース上で送信されることになっているＰＵＳＣＨデータシンボルは、失われる。よって、ネットワークノードは従来のＰＵＳＣＨを復号できない恐れがある。別のケースは、リソースが重なり合っていない場合である。しかしながら、この影響は、とりわけ、電力制御変更によってｓＴＴＩを短くするのと同様である場合があり、これに対応して、ＰＵＳＣＨはいずれにしても復号できない恐れがある。
【０１３３】
よって、一実施形態によると、ワイヤレスデバイスは、１つのキャリア上の同じサブフレームにおいて従来のＰＵＳＣＨおよびｓＰＵＳＣＨを送信することは予想されていない。この場合、両方同時にスケジューリングすることはネットワークノードによってエラーと考えられるため、仕様のサポートは必要とされない。
【０１３４】
本発明の概念は、主に、数個の実施形態を参照して上述されている。しかしながら、当業者には容易に理解されるように、上で開示されたもの以外の他の実施形態は、添付の特許請求の範囲によって規定されるように、本発明の概念の範囲内で等しく可能である。
【図１】
2019526947.tif 000005
【図２】
2019526947.tif 000006
【図３】
2019526947.tif 000007
【図４】
2019526947.tif 000008
【図５】
2019526947.tif 000009
【図６】
2019526947.tif 000010
【図７】
2019526947.tif 000011
【図８】
2019526947.tif 000012
【図９ａ】
2019526947.tif 000013
【図９ｂ】
2019526947.tif 000014
【図１０】
2019526947.tif 000015
【図１１】
2019526947.tif 000016
【図１２】
2019526947.tif 000017
【図１３】
2019526947.tif 000018
【図１４】
2019526947.tif 000019
【図１５】
2019526947.tif 000020
【図１６】
2019526947.tif 000021
【図１７】
2019526947.tif 000022
【図１８】
2019526947.tif 000023
【図１９】
2019526947.tif 000024
【図２０】
2019526947.tif 000025
【図２１】
2019526947.tif 000026
【図２２】
2019526947.tif 000027
【図２３】
2019526947.tif 000028
【図２４】
2019526947.tif 000029
【手続補正書】
【提出日】平成31年1月16日(2019.1.16)
【手続補正１】
【補正対象書類名】特許請求の範囲
【補正対象項目名】全文
【補正方法】変更
【補正の内容】
【特許請求の範囲】
【請求項１】
ワイヤレスデバイス（３００ａ）にアップリンク送信用の設定を提供するための方法であって、ネットワークノード（２００）によって行われ、
ショートＴＴＩ動作によるアップリンク送信用の設定を含むメッセージを送信すること（Ｓ１０２）と、
前記ワイヤレスデバイスに対するアップリンクショートＴＴＩ送信のスケジューリングを含む高速グラントを送信すること（Ｓ１０４）と、を含む、方法。
【請求項２】
前記設定および前記スケジューリングが関連する前記アップリンク送信は、ショートＴＴＩ周波数帯域において行われる、請求項１に記載の方法。
【請求項３】
前記高速グラントに従ってショートＴＴＩ動作のために物理アップリンク共有チャネル（ＰＵＳＣＨ）上で前記ワイヤレスデバイスからデータ送信を受信すること（Ｓ１０６）をさらに含む、請求項１または２に記載の方法。
【請求項４】
ネットワークノード（２００）からアップリンク送信用の設定を受信するための方法であって、ワイヤレスデバイス（３００ａ）によって行われ、
ショートＴＴＩ動作によるアップリンク送信用の設定を含むメッセージを前記ネットワークノードから受信すること（Ｓ２０２）と、
前記ワイヤレスデバイスに対するアップリンクショートＴＴＩ送信のスケジューリングを含む高速グラントを前記ネットワークノードから受信すること（Ｓ２０４）と、を含む、方法。
【請求項５】
前記設定および前記スケジューリングが関連する前記アップリンク送信は、ショートＴＴＩ周波数帯域において行われる、請求項４に記載の方法。
【請求項６】
前記高速グラントに従ってショートＴＴＩ動作のために物理アップリンク共有チャネル（ＰＵＳＣＨ）上でデータ送信を行うこと（Ｓ２０６）をさらに含む、請求項４または５に記載の方法。
【請求項７】
前記設定は、ショートＴＴＩ動作のための参照シンボルおよびデータシンボルの位置を規定する、請求項１から６のいずれか一項に記載の方法。
【請求項８】
前記参照シンボルはアップリンク復調用参照信号（ＤＭＲＳ）である、請求項７に記載の方法。
【請求項９】
前記設定に従って、前記参照シンボルはそれぞれのサブフレームにおいてシンボル３および１０に位置付けられる、請求項７または８に記載の方法。
【請求項１０】
前記設定に従って、ショートＴＴＩ動作のためのそれぞれのＴＴＩは多くても１つの参照シンボルを含む、請求項７または８に記載の方法。
【請求項１１】
前記設定に従って、前記参照シンボルは、参照シンボルを含む、ショートＴＴＩ動作のためのそれぞれのＴＴＩにおいて、最初または最後のどちらかに位置付けられる、請求項７または８に記載の方法。
【請求項１２】
前記設定に従って、ショートＴＴＩ動作のための異なるＴＴＩでの参照シンボルは共通シンボル上に置かれる、請求項７または８に記載の方法。
【請求項１３】
前記設定に従って、ショートＴＴＩ動作のための全てのＴＴＩはスロットに含まれている、請求項７または８に記載の方法。
【請求項１４】
前記設定はショートＴＴＩ設定インデックスによってシグナリングされる、請求項１から１３のいずれか一項に記載の方法。
【請求項１５】
前記設定は、前記ショートＴＴＩの長さを示す第１のパラメータ、およびショートＴＴＩ動作のための参照シンボルおよびデータシンボルの位置を示す第２のパラメータによってシグナリングされる、請求項１から１４のいずれ一項に記載の方法。
【請求項１６】
前記設定ではさらに、ダウンリンクＴＴＩ周波数帯域の長さが指定される、請求項１から１５のいずれか一項に記載の方法。
【請求項１７】
前記設定はそれぞれのサブフレームに対して固定される、請求項１から１６のいずれか一項に記載の方法。
【請求項１８】
ショートＴＴＩ動作のための少なくとも２つのＴＴＩは、１つのサブフレーム内で相互に長さが異なっているか、またはショートＴＴＩ動作のための少なくとも２つのワイヤレスデバイスは、１つのサブフレーム内でＴＴＩ周波数帯域の長さが相互に異なっている、請求項１から１７のいずれか一項に記載の方法。
【請求項１９】
前記メッセージは低速グラントであり、前記高速グラントは前記低速グラントより多い頻度で送信される、請求項１から１８のいずれか一項に記載の方法。
【請求項２０】
前記低速グラントは、サブフレームごとに１回、またはサブフレームごとに１回より少ない頻度で送信され、前記高速グラントは、サブフレームごとに１回より多い頻度で送信される、請求項１９に記載の方法。
【請求項２１】
ワイヤレスデバイス（３００ａ）にアップリンク送信用の設定を提供するネットワークノード（２００）であって、
処理回路（２１０）と、
前記処理回路（２１０）によって実行される時、前記ネットワークノード（２００）に、
ショートＴＴＩ動作によるアップリンク送信用の設定を含むメッセージを送信させ、かつ、
前記ワイヤレスデバイスに対するアップリンクショートＴＴＩ送信のスケジューリングを含む高速グラントを送信させる命令を記憶する、コンピュータプログラム製品（２４１０ａ）と、を含む、ネットワークノード（２００）。
【請求項２２】
ネットワークノード（２００）からアップリンク送信用の設定を受信するワイヤレスデバイス（３００ａ、３００ｂ）であって、
処理回路（３１０）と、
前記処理回路（３１０）によって実行される時、前記ワイヤレスデバイス（３００ａ、３００ｂ）に、
ショートＴＴＩ動作によるアップリンク送信用の設定を含むメッセージを前記ネットワークノードから受信させ、かつ、
前記ワイヤレスデバイスに対するアップリンクショートＴＴＩ送信のスケジューリングを含む高速グラントを前記ネットワークノードから受信させる命令を記憶する、コンピュータプログラム製品（２４１０ｂ）と、を含む、ワイヤレスデバイス（３００ａ、３００ｂ）。
【国際調査報告】
2019526947.tif 000030
2019526947.tif 000031
2019526947.tif 000032